(57)【要約】【課題】  従来の二重重畳構造を有するバンドまたはショルダーストラップの最大長さとほぼ同一にバンドまたはショルダーストラップを最大に調節することができ、バンドまたはショルダーストラップの長さを最大長さの１／３または１／４に減少することができるバンドまたはショルダーストラップの多重重畳方法及びその装置を提供する。【解決手段】  空間が形成されたメーンフレーム、及び前記メーンフレームの空間を横切って前記メーンフレームに固定され、前記空間を第１結合空間と第２結合空間に分割する補助フレームを有する長さ調節バックルと、空間が形成された固定リングと、紐とを含むバンドまたはショルダーストラップの長さを調整するための多重重畳方法において、前記紐の第１端が前記固定リングの一つに固定的に連結される段階と、前記紐の第２端が前記長さ調節バックルの前記第１結合空間及び前記第２結合空間を通過し、前記紐が前記長さ調節バックルの前記補助フレームに掛けられる段階と、前記紐の前記第２端が前記他の固定リングに引き寄せられ、前記紐の前記第２端が前記他の固定リングに設けられた前記空間を通過する段階と、前記紐の前記第２端が前記長さ調節バックルに引き寄せられ、前記紐の前記第２端が前記長さ調節バックルの前記第１結合空間及び前記第２結合空間を通過し、前記紐が前記長さ調節バックルの前記補助フレームに二重で掛けられる段階と、前記紐の前記第２端が前記他の固定リングに再び引き寄せられ、前記紐の前記第２端が前記他の固定リングに設けられた前記空間を通過し、前記紐の第２端が前記紐の前記第２端に接触する前記紐の他の部分に固定される段階とを含んでバンドまたはショルダーストラップの多重重畳方法を構成する。【選択図】図７
2009538678.tif 000002
【特許請求の範囲】
【請求項１】
空間が形成されたメーンフレーム、及び前記メーンフレームの空間を横切って前記メーンフレームに固定され、前記空間を第１結合空間と第２結合空間に分割する補助フレームを有する長さ調節バックルと、空間が形成された固定リングと、紐とを含むバンドまたはショルダーストラップの長さを調整するための多重重畳方法において、
前記紐の第１端が前記固定リングの一つに固定的に連結される段階と、
前記紐の第２端が前記長さ調節バックルの前記第１結合空間及び前記第２結合空間を通過し、前記紐が前記長さ調節バックルの前記補助フレームに掛けられる段階と、
前記紐の前記第２端が前記他の固定リングに引き寄せられ、前記紐の前記第２端が前記他の固定リングに設けられた前記空間を通過する段階と、
前記紐の前記第２端が前記長さ調節バックルに引き寄せられ、前記紐の前記第２端が前記長さ調節バックルの前記第１結合空間及び前記第２結合空間を通過し、前記紐が前記長さ調節バックルの前記補助フレームに二重で掛けられる段階と、
前記紐の前記第２端が前記他の固定リングに再び引き寄せられ、前記紐の前記第２端が前記他の固定リングに設けられた前記空間を通過し、前記紐の第２端が前記紐の前記第２端に接触する前記紐の他の部分に固定される段階と、を含んで構成されたことを特徴とするバンドまたはショルダーストラップの多重重畳方法。
【請求項２】
前記紐の前記第２端は、互いに着脱可能に付着されるボタンによって前記第２端に接触する前記紐の他の部分に固定されることを特徴とする請求項１に記載のバンドまたはショルダーストラップの多重重畳方法。
【請求項３】
空間が形成されたメーンフレーム、及び前記メーンフレームの空間を横切って前記メーンフレームに固定され、前記空間を第１結合空間と第２結合空間に分割する補助フレームを有する長さ調節バックルと、空間が形成された固定リングと、紐とを含むバンドまたはショルダーストラップの長さを調整するための多重重畳方法において、
前記紐の第１端が前記固定リングの一つに固定的に連結される段階と、
前記紐の第２端が前記長さ調節バックルの前記第１結合空間及び前記第２結合空間を通過し、前記紐が前記長さ調節バックルの前記補助フレームに掛けられる段階と、
前記紐の前記第２端が前記他の固定リングに引き寄せられ、前記紐の前記第２端が前記他の固定リングに設けられた前記空間を通過する段階と、
前記紐の前記第２端が前記長さ調節バックルに引き寄せられ、前記紐の前記第２端が前記長さ調節バックルの前記第１結合空間及び前記第２結合空間を通過し、前記紐が前記長さ調節バックルの前記補助フレームに二重で掛けられる段階と、
前記紐の前記第２端が前記他の固定リングに引き寄せられ、前記紐の前記第２端が前記他の固定リングに設けられた前記空間を通過する段階と、
前記紐の前記第２端が前記長さ調節バックルに再び引き寄せられ、前記紐の前記第２端が前記長さ調節バックルの前記第１結合空間及び前記第２結合空間を通過し、前記紐が前記長さ調節バックルの前記補助フレームに三重で掛けられ、前記紐の第２端が前記紐の前記第２端に接触する前記紐の他の部分に固定される段階と、を含んで構成されたことを特徴とするバンドまたはショルダーストラップの多重重畳方法。
【請求項４】
前記紐の前記第２端は、互いに着脱可能に付着されるボタンによって前記第２端に接触する前記紐の他の部分に固定されることを特徴とする請求項３に記載のバンドまたはショルダーストラップの多重重畳方法。
【請求項５】
紐を有するバンドまたはショルダーストラップの多重重畳装置において、前記紐の一端は、互いに着脱可能に付着されるボタンまたはベルクロテープによって前記紐の一端に接触する前記紐の他の部分に固定されることを特徴とするバンドまたはショルダーストラップの多重重畳装置。
【発明の詳細な説明】
【技術分野】
【０００１】
本発明は、バンドまたはショルダーストラップの多重重畳方法及びその装置に関するもので、特に、バンドまたはショルダーストラップの長さを最大長さの１／３または１／４に減少できるバンドまたはショルダーストラップの多重重畳方法及びその装置に関するものである。
【背景技術】
【０００２】
一般的に、バンドは、物体を固定または支持するための手段として定義され、ショルダーストラップは、荷物を肩に掛けるための手段として定義される。一方、バンドは、かばんに適用されてショルダーストラップとしての機能を行い、ショルダーストラップは、物体を固定するために使用されてバンドとしての機能を行う。すなわち、バンド及びショルダーストラップの共通的な目的は、物体を固定及び支持することにある。バンドまたはショルダーストラップには、長さ調節が必要でないもの及び長さ調節が必要であるものの二種類がある。ほとんどの長さ調節が必要なバンドまたはショルダーストラップは、矩形のフレーム及び中央ロッドを有する長さ調節バックルと、バンドまたはショルダーストラップの一端が掛けられる空間を有する固定リングとを含んでいる。このような長さ調節メカニズムによると、バンドまたはショルダーストラップの長さが二重重畳方法によって調節される。
【０００３】
上記のような長さ調節が可能なバンドまたはショルダーストラップは、多様な用途で使用される。図２は、従来の長さが調節可能なバンドまたはショルダーストラップの構成部品を示した構成図で、図４は、従来の二重重畳構造を有するショルダーストラップが適用されたかばんを示した正面図である。各図面に示すように、使用者がかばん４０を肩に掛けて歩けるように、かばん４０にはショルダーストラップが結合される。従来のショルダーストラップは、空間が形成された中空のメーンフレーム２１、及び前記メーンフレーム２１の空間を横切って延長され、空間を第１結合空間２３と第２結合空間２４に分割する補助フレーム２２を有する長さ調節バックル２０と、空間が形成された固定リング１０ａ〜１０ｄと、紐３０とを含む。紐３０が長さ調節バックル２０及び固定リング１０ａに二重重畳構造で結合されることで、長さが調節されるようになる。
【０００４】
図３ａ、図３ｂ、図３ｃ及び図３ｄは、従来のバンドまたはショルダーストラップの二重重畳過程を示した図である。まず、図３ａに示すように、紐３０の一端（以下、第１端という。）が固定リング１０ｃ（図２を参照）に連結される。そして、図３ｂに示すように、紐３０の他端（以下、第２端という。）が長さ調節バックル２０の第１結合空間２３を通過し、第２結合空間２４を通過することで、空間を横切ってメーンフレーム２１に固定された補助フレーム２２に紐３０が掛けられる。
【０００５】
図３ｃに示すように、長さ調節バックル２０の第１及び第２結合空間２３，２４を通過した後、紐３０の第２端は、固定リング１０ｂ（図２を参照）に設けられた空間を通過する。図３ｄに示すように、固定リング１０ｂの空間を通過した紐３０の第２端は、長さ調節バックル２０に引き寄せられる。その後、紐３０の第２端が長さ調節バックル２０の第１結合空間２３を通過した後、第２結合空間２４を通過することで、紐３０が補助フレーム２２に二重で掛けられる。第２結合空間２４を通過した紐３０の第２端が紐３０の他の部分に縫い付けられることで、紐３０の第２端が補助フレーム２２に固定される。したがって、長さ調節バックル２０と固定リング１０ｂとの間に位置する紐３０の一部が二重で重畳される。その結果、使用者は、紐３０の二重重畳部の長さ調節によってショルダーストラップの全体長さを調節することができる。
【０００６】
バンドまたはショルダーストラップの長さは使用用途によって決定される。例えば、固定物を支持するためのバンドの長さは、固定物の大きさによって決定され、かばんを支持するためのショルダーストラップの長さは、流行または男性用及び女性用のようなかばんの種類によって変わり、例えば、ショルダーストラップの両端がかばんに永久的に固定される永久固定型、固定リング１０ｂ，１０ｃ，１０ｄを用いてショルダーストラップの両端が着脱可能にかばんに装着される着脱型、固定リング１０ｂ，１０ｃ，１０ｄを用いてショルダーストラップの一端がかばんに着脱可能に装着され、他端がかばんに永久的に固定される一端開放型、一対の二重重畳構造を備えるショルダーストラップがかばんに装着される二重調節型などがある。
【０００７】
しかしながら、従来の二重重畳構造を有するバンドまたはショルダーストラップは、バンドまたはショルダーストラップの長さを最小に調整するとき、長さ調整範囲に限界があるという問題点がある。この問題点は、次のような使用上の不便さをもたらす。例えば、女性用かばんにおいて、長さ調節バックル２０及び固定リング１０を用いて調節されるショルダーストラップの最大長さは、使用者がショルダーストラップを肩に掛けたとき、かばんが使用者の大腿付近に位置する長さに設定される。ショルダーストラップの最大長さを基準にして、長さ調節バックル２０を用いて紐３０の二重重畳部の長さを調節することで長さを最小に調節するとしても、かばんが使用者の腰付近に位置するので、歩行時にかばんが揺れるようになり、携帯性が低下する。
【０００８】
さらに、最近になって、かばんの種類（大きさまたは使用用途によって区分される。）によって、使用者の腰に掛けられるように構成されたストラップがかばんに設けられることもあるが、従来のストラップは、使用者の腰に掛けられる程度に短く長さを調整することが不可能である。そのため、使用者は、肩及び腰に掛けるための異なる二種類のストラップを別途に購買すべきであるという使用上の不便さがある。また、従来の二重重畳構造を有するバンドでは長さ調節に限界があり、従来のバンドがスーツケースを堅固に支持するために使用されるとき、使用者は、相対的に大きいスーツケース及び小さいスーツケースに適した異なる種類のバンドをそれぞれ別途に購買すべきであった。さらに、従来のバンドがズボンに使用される場合、従来のバンドでは長さ調整に限界があり、使用者は、子供用及び大人用ズボンに適した異なる種類のバンドをそれぞれ別途に購買すべきであるという使用上の不便さがある。
【発明の開示】
【発明が解決しようとする課題】
【０００９】
本発明は、上記のような問題点を解決するためのもので、その目的は、従来の二重重畳構造を有するバンドまたはショルダーストラップの最大長さとほぼ同一にバンドまたはショルダーストラップを最大に調節することができ、バンドまたはショルダーストラップの長さを最大長さの１／３または１／４に減少することができるバンドまたはショルダーストラップの多重重畳方法及びその装置を提供することにある。
【課題を解決するための手段】
【００１０】
本発明は、空間が形成されたメーンフレーム、及び前記メーンフレームの空間を横切って前記メーンフレームに固定され、前記空間を第１結合空間と第２結合空間に分割する補助フレームを有する長さ調節バックルと、空間が形成された固定リングと、紐とを含むバンドまたはショルダーストラップの長さを調整するための多重重畳方法において、前記紐の第１端が前記固定リングの一つに固定的に連結される段階と、前記紐の第２端が前記長さ調節バックルの前記第１結合空間及び前記第２結合空間を通過し、前記紐が前記長さ調節バックルの前記補助フレームに掛けられる段階と、前記紐の前記第２端が前記他の固定リングに引き寄せられ、前記紐の前記第２端が前記他の固定リングに設けられた前記空間を通過する段階と、前記紐の前記第２端が前記長さ調節バックルに引き寄せられ、前記紐の前記第２端が前記長さ調節バックルの前記第１結合空間及び前記第２結合空間を通過し、前記紐が前記長さ調節バックルの前記補助フレームに二重で掛けられる段階と、前記紐の前記第２端が前記他の固定リングに再び引き寄せられ、前記紐の前記第２端が前記他の固定リングに設けられた前記空間を通過し、前記紐の第２端が前記紐の前記第２端に接触する前記紐の他の部分に固定される段階とを含んで構成されたことを特徴とするバンドまたはショルダーストラップの多重重畳方法に関するものである。
【００１１】
本発明のバンドまたはショルダーストラップの多重重畳方法において、前記紐の前記第２端は、互いに着脱可能に付着される雄ボタン及び雌ボタンを含むボタンによって前記第２端に接触する前記紐の他の部分に固定されることを特徴とする。
【００１２】
本発明は、空間が形成されたメーンフレーム、及び前記メーンフレームの空間を横切って前記メーンフレームに固定され、前記空間を第１結合空間と第２結合空間に分割する補助フレームを有する長さ調節バックルと、空間が形成された固定リングと、紐とを含むバンドまたはショルダーストラップの長さを調整するための多重重畳方法において、前記紐の第１端が前記固定リングの一つに固定的に連結される段階と、前記紐の第２端が前記長さ調節バックルの前記第１結合空間及び前記第２結合空間を通過し、前記紐が前記長さ調節バックルの前記補助フレームに掛けられる段階と、前記紐の前記第２端が前記他の固定リングに引き寄せられ、前記紐の前記第２端が前記他の固定リングに設けられた前記空間を通過する段階と、前記紐の前記第２端が前記長さ調節バックルに引き寄せられ、前記紐の前記第２端が前記長さ調節バックルの前記第１結合空間及び前記第２結合空間を通過し、前記紐が前記長さ調節バックルの前記補助フレームに二重で掛けられる段階と、前記紐の前記第２端が前記他の固定リングに引き寄せられ、前記紐の前記第２端が前記他の固定リングに設けられた前記空間を通過する段階と、前記紐の前記第２端が前記長さ調節バックルに再び引き寄せられ、前記紐の前記第２端が前記長さ調節バックルの前記第１結合空間及び前記第２結合空間を通過し、前記紐が前記長さ調節バックルの前記補助フレームに三重で掛けられ、前記紐の第２端が前記紐の前記第２端に接触する前記紐の他の部分に固定される段階とを含んで構成されたことを特徴とするバンドまたはショルダーストラップの多重重畳方法に関するものである。
【００１３】
本発明のバンドまたはショルダーストラップの多重重畳方法において、前記紐の前記第２端は、互いに着脱可能に付着される雄ボタン及び雌ボタンを含むボタンによって前記第２端に接触する前記紐の他の部分に固定されることを特徴とする。
【発明を実施するための最良の形態】
【００１４】
以下、本発明の好適な実施例を図面に基づいて詳細に説明する。
【００１５】
図５は、本発明の一実施例に係る三重重畳構造を有するバンドまたはショルダーストラップを示した構成図で、図６ａ、図６ｂ、図６ｃ、図６ｄ及び図６ｅは、本発明の一実施例に係るバンドまたはショルダーストラップの三重重畳過程を示した図である。各図面に示すように、本発明に係るバンドまたはショルダーストラップは、空間が形成された中空のメーンフレーム１２１、及び前記メーンフレーム１２１の空間を横切って前記メーンフレーム１２１に固定され、空間を第１結合空間１２３と第２結合空間１２４に分割する補助フレーム１２２を有する長さ調節バックル１２０と、空間が形成された固定リング１１０ｂ，１１０ｃと、紐１３０とを含む。以下、本発明のバンドまたはショルダーストラップの長さを調節するための三重重畳方法を説明する。まず、図６ａに示すように、紐１３０の第１端は、一側に配置された固定リング１１０ｃに固定的に連結される（Ｓ１０）。そして、図６ｂに示すように、紐１３０の第２端が長さ調節バックル１２０の第１結合空間１２３を通過した後、第２結合空間１２４を通過することで（Ｓ２０）、結合空間を横切ってメーンフレーム１２１に固定された補助フレーム１２２に紐１３０が掛けられる。結合空間を横切って長さ調節バックル１２０のメーンフレーム１２１に固定された補助フレーム１２２に紐１３０を掛けた後、図６ｃに示すように、紐１３０の第２端は、他側に配置された固定リング１１０ｂに引き寄せられ、固定リング１１０ｂに設けられた空間を通過する（Ｓ３０）。その結果、紐１３０が固定リング１１０ｂに掛けられる。図６ｄに示すように、固定リング１１０ｂの空間を通過した紐１３０の第２端が長さ調節バックル１２０に引き寄せられる。その後、紐１３０の第２端が長さ調節バックル１２０の第２結合空間１２３を再び通過し、第２結合空間１２４を通過することで（Ｓ４０）、紐１３０が長さ調節バックル１２０の補助フレーム１２２に二重で掛けられる。
【００１６】
図６ｅに示すように、長さ調節バックル１２０の補助フレーム１２２に２重で重畳された紐１３０の第２端は、他側に配置された固定リング１１０ｂに再び引き寄せられ、固定リング１１０ｂの空間を再び通過し、固定リング１１０ｂの空間を通過した紐１３０の第２端は、紐１３０の第２端と接触する紐１３０の他の部分に固定される（Ｓ５０）。その結果、バンドまたはショルダーストラップの三重重畳過程が完了する。
【００１７】
図６ｆは、Ｓ５０において、紐１３０の第２端と、紐１３０の第２端と接触する紐１３０の他の部分との固定構造を示した正面図である。従来の二重重畳型バンドまたはショルダーストラップにおいては、紐の第２端と、第２端に接触する紐の他の部分との固定構造が重要でなく、紐の第２端が紐の他の部分に縫い付けなどの方法（図３ｄを参照）によって永久的に固定されていたが、本発明に係る多重（二重、三重、四重またはそれ以上）重畳型バンドまたはショルダーストラップにおいては、紐１３０の第２端が、第２端に接触する紐１３０の他の部分に着脱可能に付着されるので、使用者は、使用用途によって二重、三重、四重またはそれ以上の重畳形態にバンドまたはショルダーストラップを変形することができる。このために、本発明の実施例では、互いに着脱可能に付着される雄ボタン１５１及び雌ボタン１５２を含むボタン部材１５０が使用される。例えば、雌ボタン１５２は、紐１３０の第２端に設けられ、雄ボタン１５１は、雌ボタン１５２の反対側にある紐１３０の他の部分に設けられるが、これに限定されることはない（ベルクロテープも使用可能）。このような着脱手段を用いた紐１３０の固定方法は、本発明において重要である。使用者がバンドまたはショルダーストラップを二重重畳形態に変形しようとする場合、使用者は、図３ａ、図３ｂ、図３ｃ及び図３ｄに示した二重重畳過程にしたがう。また、使用者がバンドまたはショルダーストラップを三重重畳形態に変形しようとする場合、使用者は、図６ａ、図６ｂ、図６ｃ、図６ｄ及び図６ｅに示した三重重畳過程にしたがう。また、使用者がバンドまたはショルダーストラップを四重重畳形態に変形しようとする場合、使用者は、図９ａ、図９ｂ、図９ｃ、図９ｄ、図９ｅ及び図９ｆに示した四重重畳過程にしたがう。もちろん、バンドまたはショルダーストラップの多重（四重以上）重畳形態への変形は、上記の過程を繰り返すことで達成される。
【００１８】
図３ｅは、着脱手段を用いた紐固定方法によるバンドまたはショルダーストラップの二重重畳形態への変形を示した正面図で、図６ｆは、着脱手段を用いた紐固定方法によるバンドまたはショルダーストラップの三重重畳形態への変形を示した正面図で、図９ｇは、着脱手段を用いた紐固定方法によるバンドまたはショルダーストラップの四重重畳形態への変形を示した正面図である。図７は、本発明に係る三重重畳構造を有するバンドまたはショルダーストラップが適用されたかばん１４０を示した正面図である。この実施例では、固定リング１１０ｃ（図５を参照）が除去され、バンドまたはショルダーストラップの第１端がかばん１４０に直接連結される。バンドまたはショルダーストラップをかばん１４０またはその他の物体に連結するにおいて、図示された固定リング１１０ａ，１１０ｂ，１１０ｃ，１１０ｄを含む多様な種類の固定リングが使用される。
【００１９】
図８は、本発明に係る四重重畳構造を有するバンドまたはショルダーストラップを示した構成図で、図９ａ、図９ｂ、図９ｃ、図９ｄ、図９ｅ及び図９ｆは、本発明に係るバンドまたはショルダーストラップの四重重畳過程を示した図である。各図面に示すように、本発明に係るバンドまたはショルダーストラップは、空間が形成された中空のメーンフレーム２２１、及び前記メーンフレーム２２１の空間を横切ってメーンフレーム２２１に固定され、空間を第１結合空間２２３と第２結合空間２２４に分割する補助フレーム２２２を有する長さ調節バックル２２０と、空間が形成された固定リング２１０ｂ，２１０ｃと、紐２３０とを含む。以下、本発明のバンドまたはショルダーストラップの長さを調節するための四重重畳方法を説明する。まず、図９ａに示すように、紐２３０の第１端は、一側に配置された固定リング２１０ｃに固定的に連結される（Ｓ１１０）。そして、図９ｂに示すように、紐２３０の第２端が長さ調節バックル２２０の第１結合空間２２３を通過した後、第２結合空間２２４を通過することで（Ｓ１２０）、結合空間を横切ってメーンフレーム２２１に固定された補助フレーム２２２に紐２３０が掛けられる。長さ調節バックル２２０の補助フレーム２２２に紐２３０を掛けた後、図９ｃに示すように、紐２３０の第２端は、他側に配置された固定リング２１０ｂに引き寄せられ、固定リング２１０ｂに設けられた空間を通過する（Ｓ１３０）。その結果、紐２３０が固定リング２１０ｂに掛けられる。図９ｄに示すように、固定リング２１０ｂの空間を通過した紐２３０の第２端は、長さ調節バックル２２０に引き寄せられる。その後、紐２３０の第２端が長さ調節バックル２２０の第２結合空間２２３を再び通過し、第２結合空間２２４を通過することで（Ｓ１４０）、紐２３０が長さ調節バックル２２０の補助フレーム２２２に二重で掛けられる。
【００２０】
図９ｅに示すように、長さ調節バックル２２０の補助フレーム２２２に２重で重畳された紐２３０の第２端は、他側に配置された固定リング２１０ｂに再び引き寄せられ、固定リング２１０ｂの空間を再び通過する（Ｓ１５０）。その結果、紐２３０が固定リング２１０ｂに二重で掛けられる。図９ｆに示すように、固定リング２１０ｂの空間を通過した紐２３０の第２端は、長さ調節バックル２２０に引き寄せられる。その後、紐２３０の第２端が長さ調節バックル２２０の第１結合空間２２３を再び通過し、第２結合空間２２４を通過することで、 紐２３０が長さ調節バックル２２０の補助フレーム２２２に三重で掛けられる。そして、長さ調節バックル２２０の第２結合空間２２４を通過した紐２３０の第２端は、紐２３０の第２端と接触する紐２３０の他の部分に固定される（Ｓ１６０）。
【００２１】
図１０は、本発明に係る四重重畳構造を有するバンドまたはショルダーストラップが適用されたかばん２４０を示した正面図である。この実施例では、固定リング２１０ｃが除去され、バンドまたはショルダーストラップの第１端がかばん２４０に直接連結される。バンドまたはショルダーストラップをかばん２４０またはその他の物体に連結するにおいて、図示された固定リング２１０ａ，２１０ｂ，２１０ｃ，２１０ｄを含む多様な種類の固定リングが使用される。
【００２２】
以下、バンドまたはショルダーストラップを三重及び四重で重畳するときの最大長さと最小長さとの間の差を説明する。図１１は、バンドまたはショルダーストラップが最大の長さに調節されたとき、本発明の多重重畳構造を有するバンドまたはショルダーストラップを撮影した写真で、図１２は、バンドまたはショルダーストラップが最小の長さに調節されたとき、本発明の多重重畳構造を有するバンドまたはショルダーストラップを撮影した写真である。図１１において、上部に位置したバンドまたはショルダーストラップは、従来の二重重畳構造を有するもので、中間部に位置したバンドまたはショルダーストラップは、本発明の三重重畳構造を有するもので、下部に位置したバンドまたはショルダーストラップは、本発明の四重重畳構造を有するものである。
【００２３】
図１１に示すように、各バンドまたはショルダーストラップの最大長さはほぼ類似しており、重畳回数によって多少の差がある。従来の二重重畳構造を有するバンドまたはショルダーストラップの最大長さと、本発明の多重重畳構造を有するバンドまたはショルダーストラップの最大長さとの間に差がほとんどないので、使用者は、従来の二重重畳構造を有するバンドまたはショルダーストラップと同様に、本発明のバンドまたはショルダーストラップを最大の長さ状態で使用することができる。
【００２４】
図１２において、上部に位置したバンドまたはショルダーストラップは、従来の二重重畳構造を有するもので、中間部に位置したバンドまたはショルダーストラップは、本発明の三重重畳構造を有するもので、下部に位置したバンドまたはショルダーストラップは、本発明の四重重畳構造を有するものである。図１２に示すように、本発明の三重重畳構造を有するバンドまたはショルダーストラップの最小長さは、従来の二重重畳構造を有するバンドまたはショルダーストラップの最小長さの１／３に減少し、本発明の四重重畳構造を有するバンドまたはショルダーストラップの最小長さは、従来の二重重畳構造を有するバンドまたはショルダーストラップの最小長さの１／２に減少する。各最小長さの間に大きな差がある理由は、紐の重畳回数が増加するほど（三重、四重、…）、バンドまたはショルダーストラップの長さが減少するためである。したがって、本発明の三重または四重重畳方法によってバンドまたはショルダーストラップの長さを調節することで、使用者は、多様な用途のためにバンドまたはショルダーストラップを使用することができる。
【産業上の利用可能性】
【００２５】
本発明によると、バンドまたはショルダーストラップの長さを調節するとき、バンドまたはショルダーストラップの一端を固定するにおいて、バンドまたはショルダーストラップの一端を着脱可能な付着方法及び永久固定方法を選択的に使用することで固定することができる。特に、着脱可能な付着方法を使用するとき、使用者が使用用途によってバンドまたはショルダーストラップの長さを広く調節することができ、使用上の便利性が向上する。さらに、バンドまたはショルダーストラップの長さが最大長さの１／３または１／４に減少することで、使用者がストラップを必要によって肩及び腰に掛けることができる。使用者がストラップを肩に掛けるときにも、ストラップの長さをかばんなどの物体が肩付近に位置する程度に減少させることができ、携帯性が向上する。すなわち、使用者は、かばんなどの物体の種類、大きさまたは使用用途によってバンドまたはショルダーストラップの長さを適切に調節することで、バンドまたはショルダーストラップを便利に使用することができる。さらに、スーツケースを堅固に支持する場合、本発明に係るバンドは、相対的に大きいスーツケースのみならず、相対的に小さいスーツケースに適した長さに調節することができる。さらに、子供用ズボンまたは大人用ズボンの区分なしに、本発明に係るバンドまたはショルダーストラップをサスペンダーとして使用することができる。
【図面の簡単な説明】
【００２６】
【図１】従来の二重重畳方式で長さが調節されるバンドまたはショルダーストラップを示した構成図である。
【図２】従来の長さ調節が可能なバンドまたはショルダーストラップの構成部品を示した構成図である。
【図３ａ】従来のバンドまたはショルダーストラップの二重重畳過程を示した図である。
【図３ｂ】従来のバンドまたはショルダーストラップの二重重畳過程を示した図である。
【図３ｃ】従来のバンドまたはショルダーストラップの二重重畳過程を示した図である。
【図３ｄ】従来のバンドまたはショルダーストラップの二重重畳過程を示した図である。
【図３ｅ】雄ボタン及び雌ボタンを用いた紐固定方法によって二重で重畳されたバンドまたはショルダーストラップを示した正面図である。
【図４】従来の二重重畳構造を有するショルダーストラップが適用されたかばんを示した正面図である。
【図５】本発明の一実施例に係る三重重畳構造を有するバンドまたはショルダーストラップを示した構成図である。
【図６ａ】本発明の一実施例に係るバンドまたはショルダーストラップの三重重畳過程を示した図である。
【図６ｂ】本発明の一実施例に係るバンドまたはショルダーストラップの三重重畳過程を示した図である。
【図６ｃ】本発明の一実施例に係るバンドまたはショルダーストラップの三重重畳過程を示した図である。
【図６ｄ】本発明の一実施例に係るバンドまたはショルダーストラップの三重重畳過程を示した図である。
【図６ｅ】本発明の一実施例に係るバンドまたはショルダーストラップの三重重畳過程を示した図である。
【図６ｆ】雄ボタン及び雌ボタンを用いた紐固定方法によって三重で重畳されたバンドまたはショルダーストラップを示した正面図である。
【図７】本発明に係る三重重畳構造を有するショルダーストラップが適用されたかばんを示した正面図である。
【図８】本発明の一実施例に係る四重重畳構造を有するバンドまたはショルダーストラップを示した構成図である。
【図９ａ】本発明の一実施例に係るバンドまたはショルダーストラップの四重重畳過程を示した図である。
【図９ｂ】本発明の一実施例に係るバンドまたはショルダーストラップの四重重畳過程を示した図である。
【図９ｃ】本発明の一実施例に係るバンドまたはショルダーストラップの四重重畳過程を示した図である。
【図９ｄ】本発明の一実施例に係るバンドまたはショルダーストラップの四重重畳過程を示した図である。
【図９ｅ】本発明の一実施例に係るバンドまたはショルダーストラップの四重重畳過程を示した図である。
【図９ｆ】本発明の一実施例に係るバンドまたはショルダーストラップの四重重畳過程を示した図である。
【図９ｇ】雄ボタン及び雌ボタンを用いた紐固定方法によって四重で重畳されたバンドまたはショルダーストラップを示した正面図である。
【図１０】本発明に係る四重重畳構造を有するショルダーストラップが適用されたかばんを示した正面図である。
【図１１】本発明に係るショルダーストラップの長さを最大に調節する状態を撮影した写真である。
【図１２】本発明に係るショルダーストラップの長さを最小に調節する状態を撮影した写真である。
【符号の説明】
【００２７】
１１０，２１０  両側固定用道具
１２０，２２０  長さ調節バックル
１２１，２２１  メーンフレーム
１２２，２２２  補助フレーム
１２３，２２３  第１結合空間
１２４，２２４  第２結合空間
１３０，２３０  紐
１４０，２４０  かばん
１５０  ボタン部材
１５１  雄ボタン
１５２  雌ボタン
【図１】
2009538678.tif 000003
【図２】
2009538678.tif 000004
【図３ａ】
2009538678.tif 000005
【図３ｂ】
2009538678.tif 000006
【図３ｃ】
2009538678.tif 000007
【図３ｄ】
2009538678.tif 000008
【図３ｅ】
2009538678.tif 000009
【図４】
2009538678.tif 000010
【図５】
2009538678.tif 000011
【図６ａ】
2009538678.tif 000012
【図６ｂ】
2009538678.tif 000013
【図６ｃ】
2009538678.tif 000014
【図６ｄ】
2009538678.tif 000015
【図６ｅ】
2009538678.tif 000016
【図６ｆ】
2009538678.tif 000017
【図７】
2009538678.tif 000018
【図８】
2009538678.tif 000019
【図９ａ】
2009538678.tif 000020
【図９ｂ】
2009538678.tif 000021
【図９ｃ】
2009538678.tif 000022
【図９ｄ】
2009538678.tif 000023
【図９ｅ】
2009538678.tif 000024
【図９ｆ】
2009538678.tif 000025
【図９ｇ】
2009538678.tif 000026
【図１０】
2009538678.tif 000027
【図１１】
2009538678.tif 000028
【図１２】
2009538678.tif 000029
【国際調査報告】
2009538678.tif 000030
2009538678.tif 000031